(57)【特許請求の範囲】
【請求項１】
ユーザーデータを記録するデータ領域を各々有する２つの記録層を持ち、オポジットトラックパス方式で前記ユーザーデータが記録される情報記録媒体にデータを記録する情報記録方法であって、
ユーザーデータの記録が完了した際に、記録完了位置が１層目であるか判別し、前記記録完了位置が１層目であると判別された場合には、前記記録完了位置と同一半径にある２層目の位置から２層目の内周部までリードアウトを記録し、前記記録完了位置の直後から１層目及び２層目に中間領域を記録し、中間領域より外周部は未記録のままとすることを特徴とする情報記録方法。
【請求項２】
前記情報記録媒体は追記型光ディスクであることを特徴とする請求項１記載の情報記録方法。
【請求項３】
前記情報記録媒体は書き換え型光ディスクであることを特徴とする請求項１記載の情報記録方法。
【請求項４】
記録完了アドレスが１層目のアドレスかどうかを判定して、１層目のアドレスであった場合、記録完了位置が１層目であることを判別することを特徴とする請求項１記載の情報記録方法。
【請求項５】
ユーザーデータを記録するデータ領域を各々有する２つの記録層を持ち、オポジットトラックパス方式で前記ユーザーデータが記録される情報記録媒体にデータを記録する情報記録装置であって、
ユーザーデータの記録が完了した際に、記録完了位置が１層目であるか判別し、前記記録完了位置が１層目であると判別された場合には、前記記録完了位置と同一半径にある２層目の位置から２層目の内周部までリードアウトを記録し、前記記録完了位置の直後から１層目及び２層目に中間領域を記録し、中間領域より外周部は未記録のままとすることを特徴とする情報記録装置。
【請求項６】
前記情報記録媒体は追記型光ディスクであることを特徴とする請求項５記載の情報記録装置。
【請求項７】
前記情報記録媒体は書き換え型光ディスクであることを特徴とする請求項５記載の情報記録装置。
【請求項８】
記録完了アドレスが１層目のアドレスかどうかを判定して、１層目のアドレスであった場合、記録完了位置が１層目であることを判別することを特徴とする請求項５記載の情報記録装置。
【発明の詳細な説明】
【０００１】
【発明の属する技術分野】
本発明は、２層ＤＶＤ＋Ｒ（Ｄigital Ｖersatile Ｄisc＋Ｒecordable）等の記録可能な情報記録媒体を情報記録の対象とする情報記録方法及びその装置に関する。
【０００２】
【従来の技術】
記録型ＤＶＤディスクとして追記型ＤＶＤディスクであるＤＶＤ＋Ｒや書換え型ＤＶＤディスクであるＤＶＤ＋ＲＷなどがあり、これらのディスクは片面1層の再生専用ＤＶＤディスクと高い再生互換性を持つ記録型ＤＶＤディスクである。このような記録型ディスクは高速化、大容量化のための研究開発が盛んに行われている。
【０００３】
その一つに、片面２層の再生専用ＤＶＤディスクとの再生互換性を持った片面２層のＤＶＤ＋Ｒディスク(以下、「２層ＤＶＤ＋Ｒ」という)がある。２層ＤＶＤ＋Ｒは記録容量が８．４Ｇbyteであり、従来の１層ＤＶＤ＋Ｒはデータ容量が４．７Ｇbyteであるのに対してほぼ２倍の記録容量を有し、記録されたデータは片面２層の再生専用ＤＶＤディスクの再生が可能なＤＶＤプレイヤ或いはＤＶＤ−ＲＯＭドライブで読み出すことができる。
【０００４】
ここで、片面２層の再生専用ＤＶＤディスクには、２層目のトラックが１層目と同じように内周から外周に向かっているパラレルトラックパス方式(Parallel Track Path方式＝ＰＴＰ方式)と、２層目のトラックが外周から内周に向かっているオポジットトラックパス方式(Opposite Track Path方式＝ＯＰＴ方式)との２種類のトラック方式がある。ＰＴＰ方式では１層目と２層目のデータ領域が開始するアドレスの半径位置が等しく、ともに物理アドレス30000Hから始まる。また、データ領域の後にはリードアウト（Lead-out）領域が配置される。ＯＴＰ方式では２層目のデータ領域が開始するアドレスの半径位置は１層目データ領域が終了するアドレスの半径位置と等しく、２層目のデータ領域開始位置の物理アドレスは１層目のデータ領域終了アドレスをビット反転したアドレスとなっている。１層目と２層目のデータ領域のサイズに差がある場合、その差分領域はリードアウト領域となる。例えば、ＰＴＰディスクにおいて１層目のデータ領域の終了アドレスＤ１と２層目のデータ領域終了アドレスＤ２がＤ１＞Ｄ２となる場合、差分領域Ｄ１−Ｄ２はリードアウト領域となる。このように、片方の記録層においてデータが記録されている領域は、２層目の対応する領域もデータが記録されている。これは、例えばユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として１層目のデータが再生できないといった問題が生じることを避けるためである。
【０００５】
また、２層ＤＶＤにおける論理アドレスは、１層目のデータ領域の開始アドレスから連続的に割り振られ、１層目のデータ領域終了アドレスから２層目のデータ領域開始アドレスへは論理アドレスが連続している。つまり、ユーザは２層ＤＶＤから再生を行う場合、論理アドレスを用いて再生領域を指定することで、記録層を意識することなく再生を行うことが可能となっている。
【０００６】
一方、２層ＤＶＤ＋Ｒを用いてデータ記録を行う場合、再生処理と同様にユーザは論理アドレスを用いて記録領域を指定する。このため、ユーザが連続的にデータ記録を行う場合、１層目のデータ領域開始アドレスから記録が開始され、１層目のデータ領域終了アドレスまで記録が完了すると、引き続き、２層目のデータ領域開始アドレスから記録を行うことになる。このように、２層ＤＶＤ＋Ｒ記録においてもユーザは記録層を意識することなく記録を行うことが可能となっている。
【０００７】
【発明が解決しようとする課題】
このため、ユーザのデータ記録が２層目のデータ領域の途中、或いは、２層目を全く記録することなしに終了する場合が考えられる。例えば、２層目のデータ領域の途中、即ち、２層目のデータ領域内に未記録領域が存在する状態でユーザのデータ記録が完了した場合、２層目のデータ領域内に未記録領域を残したままでは上述した再生専用の２層ＤＶＤディスクと非互換のディスクレイアウトとなってしまう。また、例えば、ユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として１層目のデータが再生できない、といった問題が生じる。このような不具合は２層目を全く記録することなしにユーザのデータ記録を終了する場合も同様である。
【０００８】
本発明の目的は、複数の記録層を持つ情報記録媒体に対する記録動作において、記録層のデータ領域の途中で記録が完了して未記録領域が生ずることに起因して、再生専用の情報記録媒体との互換性がなくなることを回避し、その互換性を保つことが可能にすることである。
【０００９】
【課題を解決するための手段】
請求項１記載の発明は、ユーザーデータを記録するデータ領域を各々有する２つの記録層を持ち、オポジットトラックパス方式で前記ユーザーデータが記録される情報記録媒体にデータを記録する情報記録方法であって、ユーザーデータの記録が完了した際に、記録完了位置が１層目であるか判別し、前記記録完了位置が１層目であると判別された場合には、前記記録完了位置と同一半径にある２層目の位置から２層目の内周部までリードアウトを記録し、前記記録完了位置の直後から１層目及び２層目に中間領域を記録し、中間領域より外周部は未記録のままとすることを特徴とする。
請求項２記載の発明は、請求項１記載の情報記録方法において、前記情報記録媒体は追記型光ディスクであることを特徴とする。
請求項３記載の発明は、請求項１記載の情報記録方法において、前記情報記録媒体は書き換え型光ディスクであることを特徴とする。
請求項４記載の発明は、請求項１記載の情報記録方法において、記録完了アドレスが１層目のアドレスかどうかを判定して、１層目のアドレスであった場合、記録完了位置が１層目であることを判別することを特徴とする。
請求項５記載の発明は、ユーザーデータを記録するデータ領域を各々有する２つの記録層を持ち、オポジットトラックパス方式で前記ユーザーデータが記録される情報記録媒体にデータを記録する情報記録装置であって、ユーザーデータの記録が完了した際に、記録完了位置が１層目であるか判別し、前記記録完了位置が１層目であると判別された場合には、前記記録完了位置と同一半径にある２層目の位置から２層目の内周部までリードアウトを記録し、前記記録完了位置の直後から１層目及び２層目に中間領域を記録し、中間領域より外周部は未記録のままとすることを特徴とする。
請求項６の発明は、請求項５記載の情報記録装置において、前記情報記録媒体は追記型光ディスクであることを特徴とする。
請求項７の発明は、請求項５記載の情報記録装置において、前記情報記録媒体は書き換え型光ディスクであることを特徴とする。
請求項８の発明は、請求項５記載の情報記録装置において、記録完了アドレスが１層目のアドレスかどうかを判定して、１層目のアドレスであった場合、記録完了位置が１層目であることを判別することを特徴とする。
【００３６】
【発明の実施の形態】
本発明の一実施の形態を図面に基づいて説明する。図１は本実施の形態に係る情報記録装置としての光ディスク装置１の概略構成を示すブロック図である。
【００３７】
この光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４などを備えて構成されている。なお、図１中に示す矢印は代表的な信号や情報の流れを示すものであり、各ブロックの接続関係の全てを表すものではない。
【００３８】
より詳細には、まず、光ディスク２としては、ＤＶＤ＋Ｒの規格に準拠する２層ＤＶＤ＋Ｒを記録対象とする場合への適用例である。
【００３９】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００４０】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００４１】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００４２】
インターフェース１１は、外部装置となるホスト（例えば、ＰＣ）と双方向の通信インターフェースである。
【００４３】
ＣＰＵ１３は、ＲＯＭ１２、ＲＡＭ１４とともに当該光ディスク装置１が備えるマイクロコンピュータ（コンピュータ）を構成している。記憶媒体としても機能するＲＯＭ１２には、ＣＰＵ１３により解読可能なコードで記述された後述するような情報記録用プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、当該光ディスク装置１の電源が投入されると、ＲＯＭ１２に格納されているプログラムは、ＣＰＵ１３のメインメモリ（図示せず）にロード（インストール）される。
【００４４】
本実施の形態では、対象としている光ディスク２である２層ＤＶＤ＋Ｒが当該光ディスク装置１マウントされホスト側からのユーザデータの記録要求があった場合の記録処理制御に特徴があるが、その説明に先立ち、ＤＶＤ＋Ｒの規格の前提となる再生専用ＤＶＤディスクのレイアウト等について説明する。
【００４５】
まず、図２に再生専用ＤＶＤディスクのレイアウト例を示す。図２（ａ）は片面1層（Single Layer）のディスク（以下、「1層ディスク」という)、図２（ｂ）はＰＴＰ方式の片面２層（Dual Layer）のディスク(以下、「ＰＴＰディスク」という)、図２（ｃ）はＯＴＰ方式の片面２層のディスク(以下、「ＯＴＰディスク」という)の場合を各々示す。
【００４６】
ＤＶＤディスクは、基本的に、リードイン領域（Lead-in Area）、データ領域、リードアウト領域（Lead-out Area）からなるインフォメーション領域（Information Area）を有し、1層ディスク及びＰＴＰディスクの場合は記録層毎にインフォメーション領域を有する。ＯＴＰディスクは１つのインフォメーション領域からなり、各記録層のデータ領域の後方に中間領域（Middle Area）を有する。１層ディスク及びＰＴＰディスクのレイヤー０，１及びＯＴＰディスクのレイヤー０は内周から外周に向けてデータの再生が行われ、ＯＴＰディスクのレイヤー１は外周から内周に向けてデータの再生が行われる。１層ディスク及びＰＴＰディスクの各記録層はリードイン領域からリードアウト領域まで連続した物理アドレス（Physical Sector Number）が割り振られる。一方、ＯＴＰディスクの場合は、リードイン領域からレイヤー０の中間領域まで連続した物理アドレスが割り振られるが、レイヤー１の物理アドレスはレイヤー０の物理アドレスをビット反転したアドレスが割り振られ、中間領域からリードアウト領域まで物理アドレスが増加していく。つまり、レイヤー１におけるデータ領域の開始アドレスはレイヤー０における終了アドレスをビット反転したアドレスとなる。
【００４７】
図２（ｂ）に示すように、ＰＴＰディスクにおけるリードイン領域開始及び終了アドレス、データ領域の開始アドレス、及び、リードアウト領域の終了アドレスは同一半径位置にあり、リードアウト領域の開始アドレス、即ち、データ領域の終了アドレスは記録層毎に異なる場合がある。データ領域の終了アドレスが異なる場合、その差分の領域はリードアウトが記録されている。
【００４８】
一方、図２（ｃ）に示すように、ＯＴＰディスクの場合はリードイン領域の開始アドレスとリードアウト領域の終了アドレス、レイヤー０のデータ領域終了アドレスとレイヤー１のデータ領域開始アドレス、及び、各記録層の中間領域の開始及び終了アドレスは同一半径位置にあり、レイヤー０のデータ領域開始アドレスとレイヤー１のデータ領域終了アドレスは必ずしも一致しない。ＯＴＰディスクの場合もその差分領域にはリードアウトが記録されている。
【００４９】
このような再生専用ＤＶＤディスクのレイアウトに準拠する、例えばＰＴＰ方式による２層ＤＶＤ＋Ｒ（光ディスク２）に対する本実施の形態の情報記録方法を図３を参照して説明する。
【００５０】
まず、図３（ａ）は全く記録してない未記録状態における２層ＤＶＤ＋Ｒのレイアウトを示している。第１の記録層であるレイヤー０及び第２の記録層であるレイヤー１なる各記録層には各々、リードイン領域、データ領域（Data Area）、及び、リードアウト領域が存在する。図中、Ａはリードイン開始アドレス、Ｂはデータ領域の開始アドレス、Ｃはリードアウト領域の開始アドレス、Ｄはリードアウト領域の終了アドレスの位置を示しており、各記録層（レイヤー０，１）におけるアドレスＡ〜Ｄは光ディスク２の同一半径位置に位置している。
【００５１】
図３（ｂ）〜（ｂ−２）は、レイヤー１の途中でユーザデータの記録が完了した場合の本発明の実施の形態による記録方法を示す。図３（ｂ）は２層目（レイヤー１）のアドレスＸの位置でユーザデータの記録が完了したことを示している。
【００５２】
このように途中でユーザデータの記録が完了する場合、一つの実施の形態では、図３（ｂ−１）に示すように、ユーザデータ記録領域以降の未記録領域をリードアウトで記録する。つまり、レイヤー１のアドレスＸからアドレスＤまでの領域が所定の未記録領域として所定のデータ＝リードアウトで記録される。従って、レイヤー０の場合、アドレスＡからＢがリードイン領域、アドレスＢからＣがデータ領域、アドレスＣからＤがリードアウト領域であるのに対し、レイヤー１の場合はアドレスＡからＢがリードイン領域、アドレスＢからＸがデータ領域、アドレスＸからＤがリードアウト領域となる。この結果、片面２層の再生専用ＤＶＤ-ＲＯＭと同じディスクレイアウトとなり、２層目（レイヤー１）のデータ領域の途中でユーザデータの記録が完了した場合も、問題なく、片面２層の再生専用ＤＶＤ-ＲＯＭとの互換性を保つことが可能となる。
【００５３】
また、途中でユーザデータの記録が完了する場合、他の実施の形態では、図３（ｂ−２）に示すように、当該第２の記録層（レイヤー１）のデータ領域のうち、ユーザデータ記録を行ったユーザデータ記録領域を除く領域に対し、データ属性を有するダミーデータ（Dummy Data）、例えば、全て０データで記録する。つまり、レイヤー１のアドレスＸからアドレスＣまでの領域が所定の未記録領域として所定のデータ＝データ属性のダミーデータで記録される。このとき、レイヤー１のリードアウト領域（アドレスＣからＤ）に対し、リードアウトを記録してもよい。従って、レイヤー０，１ともにアドレスＡからＢがリードイン領域、アドレスＢからＣがデータ領域、アドレスＣからＤがリードアウト領域となる。この結果、片面２層の再生専用ＤＶＤ-ＲＯＭと同じディスクレイアウトとなり、２層目（レイヤー１）のデータ領域の途中でユーザデータの記録が完了した場合も、問題なく、片面２層の再生専用ＤＶＤ-ＲＯＭとの互換性を保つことが可能となる。
【００５４】
さらに、図３（ｃ）〜（ｃ−３）は、レイヤー０の途中でユーザデータの記録が完了した場合の本発明の実施の形態による記録方法を示す。図３（ｃ）は、レイヤー０のアドレスＹの位置でユーザデータの記録が完了したことを示している。１層目（レイヤー０）の記録中にユーザデータの記録が完了した場合、リードアウト領域は図中ＹからＥまでの領域となる。この結果、レイヤー１のデータ領域はＢからＹ、リードアウト領域はＹからＥまでとなる。つまり、レイヤー０がデータ領域の位置に関してその範囲を決定する基準となる記録層であり、このレイヤー０のデータ領域を決定することによりレイヤー１のデータ領域の範囲が決定されることになる。
【００５５】
このようにユーザデータの記録が完了する場合、一つの実施の形態では、図３（ｃ−１）に示すように、ユーザデータ記録領域以降の未記録領域をリードアウトで記録する。この例では、レイヤー１のデータ領域にはユーザデータが全く記録されていないため、レイヤー１のデータ領域の開始アドレスＢからアドレスＥまでの領域を所定の未記録領域として所定のデータ＝リードアウトで記録する。従って、レイヤー０の場合、アドレスＡからＢがリードイン領域、アドレスＢからＹがデータ領域、アドレスＹからＥがリードアウト領域であるのに対し、レイヤー１の場合はアドレスＡからＢがリードイン領域、アドレスＢからＥがリードアウト領域となる。この結果、レイヤー１にユーザデータを記録せずにユーザデータの記録が完了した場合も、リードアウトとしてデータ記録するため、１層目（レイヤー０）のデータを再生する際に、目的アドレスへのシークでたまたま２層目（レイヤー１）へ読取りレーザの焦点が合った場合に、同一半径位置の２層目にユーザデータが記録されていないことにより１層目のデータが再生できない、といった問題を回避することが可能になる。
【００５６】
図３（ｃ−２）は本発明の他の実施の形態を示し、所定の未記録領域に対してユーザデータ属性のダミーデータとリードアウトとを記録する。図３（ｃ−２）に示すように、２層目にユーザデータが全く記録されていない場合は、未記録領域の一部をユーザデータ属性のダミーデータで記録した後にリードアウトを記録しても良い。ここで、アドレスＦまでユーザデータ属性のダミーデータを記録するとした場合、リードアウトがアドレスＦからＥまで記録される。従って、レイヤー０の場合、アドレスＡからＢがリードイン領域、アドレスＢからＹがデータ領域、アドレスＹからＥがリードアウト領域であるのに対し、レイヤー１の場合はアドレスＡからＢがリードイン領域、アドレスＢからＦがデータ領域、アドレスＦからＥがリードアウト領域となる。この結果、片面２層の再生専用ＤＶＤ−ＲＯＭと同じディスクレイアウトとなり、２層目のデータ領域の途中でユーザデータ記録が完了した場合も２層ＤＶＤ−Ｒ（ＰＴＰ）との互換性を保つことが可能となる。
【００５７】
また、このようにユーザデータの記録が完了する場合、さらに別の一つの実施の形態では、図３（ｃ−３）に示すように、当該記録層のデータ領域のうちユーザデータの記録を行ったユーザデータ記録領域を除く領域に対し、データ属性を有するダミーデータで記録する。本例ではレイヤー１のデータ領域にユーザデータは全く記録されていないため、レイヤー１のデータ領域の開始アドレスＢからアドレスＹまでの領域が所定の未記録領域として所定のデータ＝データ属性のダミーデータで記録される。このとき、レイヤー１のリードアウト領域（アドレスＹからＥ）に対し、リードアウトを記録しても良い。従って、レイヤー０，１ともにアドレスＡからＢがリードイン領域、アドレスＢからＹがデータ領域、アドレスＹからＥがリードアウト領域となる。この結果、片面２層の再生専用ＤＶＤ−ＲＯＭと同じディスクレイアウトとなり、１層目（レイヤー０）のデータ領域の途中でユーザデータの記録が完了した場合も２層ＤＶＤ−ＲＯＭとの互換性を保つことが可能となる。
【００５８】
次に、再生専用ＤＶＤディスクのレイアウトに準拠する、例えばＯＴＰ方式による２層ＤＶＤ＋Ｒ（光ディスク２）に対する本実施の形態の情報記録方法を図４を参照して説明する。
【００５９】
まず、図４（ａ）は全く記録してない未記録状態における２層ＤＶＤ＋Ｒのレイアウトを示している。第１の記録層であるレイヤー０にはディスク内周からリードイン領域、データ領域、中間領域が存在し、レイヤー１にはディスク外周から中間領域、データ領域、リードアウト領域が存在する。図中、Ａはリードイン領域の開始アドレス、Ｂはレイヤー０のデータ領域の開始アドレス、Ｃはレイヤー０の中間領域の開始アドレス、Ｄはレイヤー０の中間領域の終了アドレスであり、また、図中、Ｄ′はレイヤー１の中間領域の開始アドレス、Ｃ′はレイヤー１のデータ領域の開始アドレス、Ｂ′はリードアウト領域の開始アドレス、Ａ′はリードアウト領域の終了アドレスの位置を示しており、ＡとＡ′、ＢとＢ′、ＣとＣ′、ＤとＤ′は各々ビット反転した値であり、光ディスク２の同一半径位置に位置している。
【００６０】
図４（ｂ）〜（ｂ−２）は、レイヤー１の途中でユーザデータの記録が完了した場合の本発明の実施の形態による記録方法を示す。図４（ｂ）は２層目（レイヤー１）のアドレスＸの位置でユーザデータの記録が完了したことを示している。
【００６１】
このように途中でユーザデータの記録が完了する場合、一つの実施の形態では、図４（ｂ−１）に示すように、ユーザデータ記録領域以降の未記録領域をリードアウトで記録する。つまり、アドレスＸからアドレスＡ′までの領域が所定の未記録領域として所定のデータ＝リードアウトで記録される。従って、アドレスＡからＢがリードイン領域、アドレスＢからＣまでがレイヤー０のデータ領域、アドレスＣからＤまでがレイヤー０の中間領域、アドレスＤ′からＣ′までがレイヤー１の中間領域、アドレスＣ′からＸまでがレイヤー１のデータ領域、アドレスＸからＡ′までがリードアウト領域となる。この結果、片面２層の再生専用ＤＶＤ−ＲＯＭと同じディスクレイアウトとなり、２層目（レイヤー１）のデータ領域の途中でユーザデータの記録が完了した場合も、問題なく、片面２層の再生専用ＤＶＤ−ＲＯＭとの互換性を保つことが可能となる。
【００６２】
また、途中でユーザデータの記録が完了する場合、他の実施の形態では、図４（ｂ−２）に示すように、当該第２の記録層（レイヤー１）のデータ領域のうち、ユーザがデータ記録を行ったユーザデータ記録領域を除く領域に対し、データ属性を有するダミーデータ（Dummy Data）、例えば、全て０データで記録する。つまり、アドレスＸからアドレスＢ′までの領域が所定の未記録領域として所定のデータ＝データ属性のダミーデータで記録される。このとき、リードアウト領域（アドレスＢ′からＡ′）に対し、リードアウトを記録しても良い。従って、アドレスＡからＢがリードイン領域、アドレスＢからＣまでがレイヤー０のデータ領域、アドレスＣからＤまでがレイヤー０の中間領域、アドレスＤ′からＣ′までがレイヤー１の中間領域、アドレスＣ′からＢ′までがレイヤー１のデータ領域、アドレスＢ′からＡ′までがリードアウト領域となる。この結果、片面２層の再生専用ＤＶＤ−ＲＯＭと同じディスクレイアウトとなり、２層目（レイヤー１）のデータ領域の途中でユーザデータの記録が完了した場合も、片面２層の再生専用ＤＶＤ−ＲＯＭとの互換性を保つことが可能となる。
【００６３】
さらに、図４（ｃ）〜（ｃ−３）は、レイヤー０（第１の記録層）の途中でユーザデータの記録が完了した場合の本発明の実施の形態による記録方法を示す。図４（ｃ）は、１層目（レイヤー０）のアドレスＹの位置でユーザデータの記録が完了したことを示している。１層目（レイヤー０）の記録中にユーザデータの記録が完了した場合、図中、アドレスＹからＥまでの領域がレイヤー０の中間領域となる。この結果、２層目（レイヤー１）の中間領域は、図中、Ｅ′からＹ′、レイヤー１のデータ領域は図中Ｙ′からＢ′となる。つまり、レイヤー０のデータ領域を決定することによりレイヤー１のデータ領域の範囲が決定されることになる。
【００６４】
このようにユーザデータの記録が完了する場合、一つの実施の形態では、図４（ｃ−１）に示すように、ユーザデータ記録領域以降の未記録領域をリードアウトで記録する。この例では、レイヤー１のデータ領域にはユーザデータが全く記録されていないため、レイヤー１のデータ領域の開始アドレスＹ′からアドレスＡ′までの領域を所定の未記録領域として所定のデータ＝リードアウトで記録する。従って、アドレスＡからＢがリードイン領域、アドレスＢからＹまでがレイヤー０のデータ領域、アドレスＹからＥまでがレイヤー０の中間領域、アドレスＥ′からＹ′までがレイヤー１の中間領域、アドレスＹ´からＡ´までがリードアウト領域となる。この結果、２層目（レイヤー１）にユーザデータを全く記録せずにユーザデータの記録が完了するような場合も、その未記録領域にはリードアウトとしてデータ記録をするため、１層目（レイヤー０）のデータを再生する際に、目的アドレスへのシークでたまたま２層目へ読取りレーザの焦点が合った場合に、同一半径位置の２層目にデータが記録されていないことにより１層目のデータが再生できない、といった問題を回避することが可能になる。
【００６５】
図４（ｃ−２）は本発明の他の実施の形態を示し、所定の未記録領域に対してユーザデータ属性のダミーデータとリードアウトとを記録する。２層目にユーザデータが全く記録されていない場合は、図４（ｃ−２）に示すように、未記録領域の一部をユーザデータ属性のダミーデータで記録した後、残りの領域部分にリードアウトを記録しても良い。ここで、アドレスＦ′までユーザデータ属性のダミーデータを記録するとした場合、リードアウトがアドレスＦ′からＡ′まで記録される。従って、アドレスＡからＢがリードイン領域、アドレスＢからＹまでがレイヤー０のデータ領域、アドレスＹからＥまでがレイヤー０の中間領域、アドレスＥ′からＹ′までがレイヤー１の中間領域、アドレスＹ′からＦ′までがレイヤー１のデータ領域、アドレスＦ′からＡ′までがリードアウト領域となる。この結果、片面２層の再生専用ＤＶＤ−ＲＯＭと同じディスクレイアウトとなり、２層目のデータ領域の途中でユーザデータ記録が完了した場合も、問題なく、片面２層の再生専用２層ＤＶＤ−ＲＯＭとの互換性を保つことが可能となる。
【００６６】
また、このようにユーザデータの記録が完了する場合、さらに別の一つの実施の形態では、図４（ｃ−３）に示すように、当該記録層のデータ領域のうちユーザデータの記録を行ったユーザデータ記録領域を除く領域を所定の未記録領域とし、この領域に対し、所定のデータ＝データ属性を有するダミーデータで記録する。この例では、レイヤー１のデータ領域にユーザデータは全く記録されていないため、レイヤー１のデータ領域の開始アドレスＹ′からアドレスＢ′までの領域が所定の未記録領域としてデータ属性のダミーデータで記録される。このとき、リードアウト領域（アドレスＢ′からＡ′）に対し、リードアウトを記録しても良い。従って、アドレスＡからＢがリードイン領域、アドレスＢからＹまでがレイヤー０のデータ領域、アドレスＹからＥまでがレイヤー０の中間領域、アドレスＥ´からＹ′までがレイヤー１の中間領域、アドレスＹ′からＢ′までがレイヤー１のデータ領域、アドレスＢ′からＡ′までがリードアウト領域となる。この結果、片面２層の再生専用ＤＶＤ−ＲＯＭと同じディスクレイアウトとなり、１層目のデータ領域の途中でユーザデータ記録が完了した場合も、問題なく、片面２層の再生専用ＤＶＤ−ＲＯＭとの互換性を保つことが可能となる。
【００６７】
ところで、図３及び図４に例示したような未記録領域に対する記録方法のうち、例えば、ユーザデータ記録領域以降の領域を未記録領域として、所定のデータ＝リードアウトを記録する例で、ＣＰＵ１３により実行される記録処理の制御例を図５に示す概略フローチャートを参照して説明する。なお、このフローチャートによる説明上、アドレスとしては、図３及び図４に示した値を用いるものとする。即ち、対象となる２層ＤＶＤ＋ＲがＰＴＰ方式であった場合、レイヤー０、レイヤー１ともに、リードイン開始アドレス＝Ａ、データ領域の開始アドレス＝Ｂ、リードアウト領域の開始アドレス＝Ｃ、リードアウト領域の終了アドレス＝Ｄであり、対象となる２層ＤＶＤ＋ＲがＯＴＰ方式であった場合、リードイン領域の開始アドレス＝Ａ、レイヤー０のデータ領域の開始アドレス＝Ｂ、レイヤー０の中間領域の開始アドレス＝Ｃ、レイヤー０の中間領域の終了アドレス＝Ｄ、レイヤー１の中間領域の開始アドレス＝Ｄ′、レイヤー１のデータ領域の開始アドレス＝Ｃ′、リードアウト領域の開始アドレス＝Ｂ′、リードアウト領域の終了アドレス＝Ａ′とする。また、「′」はビット反転した値を示すものとする。
【００６８】
この処理は、ホストを通じてユーザからユーザデータの記録要求があった場合（ステップＳ１のＹ）の一つの処理として行われるものであり、その要求に基づき要求アドレス分の記録を行った後（Ｓ２）、他の記録要求がないかを確認する（Ｓ３）。データ記録要求があった場合は（Ｓ３のＹ）、引き続き、要求されたデータ記録を行う（Ｓ２）。一方、ユーザデータの記録が完了した場合には（Ｓ３のＮ）、ユーザデータの記録が完了した物理アドレスＸを取得する（Ｓ４）。これらのステップＳ３のＮ，Ｓ４の処理がデータ記録完了時点の記録完了アドレス情報を取得するアドレス情報取得手段又はアドレス情報取得機能として実行される。
【００６９】
このようにして、ユーザデータの記録完了アドレスＸを取得した後、挿入されている２層ＤＶＤ＋Ｒ（光ディスク２）がＰＴＰ方式のディスクであるかＯＴＰ方式のディスクであるかを判定する（Ｓ５）。これらの方式の違いは、光ディスク２の所定領域に予め記録されているので、その情報に基づき判定すればよい。ＤＶＤ＋ＲがＯＴＰ方式のディスクの場合であれば（Ｓ５のＹ）、ユーザデータ記録完了アドレスＸがレイヤー０内のアドレスであるか否かを判定する（Ｓ６）。アドレスＸがレイヤー０内のアドレスであれば（Ｓ６のＹ）、リードアウト記録開始アドレスＹ＝Ｘ′となる（Ｓ７）。一方、アドレスＸがレイヤー１内のアドレスである場合（Ｓ６のＮ）、リードアウト記録開始アドレスＹ＝Ｘとなる（Ｓ８）。次に、リードアウト記録終了アドレスＺ＝Ａ′を取得する（Ｓ９）。これらのステップＳ６〜Ｓ９の処理が、レイヤー１における未記録領域の範囲を認定する未記録領域認定手段又は未記録領域認定機能として実行される。その後、これらのアドレスＹ〜Ｚ間を未記録領域として、リードアウトを記録し（Ｓ１０）、処理を終了する（Ｓ１１）。ステップＳ１０の処理が記録処理手段又は記録処理機能として実行される。
【００７０】
一方、挿入されている２層ＤＶＤ＋ＲがＰＴＰ方式のディスクであった場合には（Ｓ５のＮ）、ユーザデータ記録完了アドレスＸがレイヤー０内のアドレスであるか否かを判定する（Ｓ１２）。アドレスＸがレイヤー０内のアドレスである場合（Ｓ１２のＹ）、リードアウト記録開始アドレスＹ＝Ｂとなる（Ｓ１３）。アドレスＸがレイヤー１内のアドレスである場合（Ｓ１２のＮ）、リードアウト記録開始アドレスＹ＝Ｘとなる（Ｓ１４）。次に、リードアウト記録終了アドレスＺ＝Ｄを取得する（Ｓ１５）。これらのステップＳ１２〜Ｓ１５の処理が、レイヤー１における未記録領域の範囲を認定する未記録領域認定手段又は未記録領域認定機能として実行される。その後、これらのアドレスＹ〜Ｚ間を未記録領域として、リードアウトを記録し（Ｓ１０）、処理を終了する（Ｓ１１）。ステップＳ１０の処理が記録処理手段又は記録処理機能として実行される。また、これらのステップＳ３〜Ｓ１０の処理が未記録領域データ埋込手段又は未記録領域データ埋込処理として実行される。
【００７１】
なお、このフローチャートによる処理制御例では、リードイン領域、レイヤー０内のリードアウト領域或いは中間領域の記録については特に記述していないが、ユーザデータの記録が完了して光ディスク２が排出されるまでの間に所定の領域に記録されていれば良い。また、アドレスＸがレイヤー０内のアドレスであった場合、即ち、レイヤー１にユーザデータが全く記録されていない場合は、前述したように、未記録領域の一部をユーザデータ属性のダミーデータで記録した後にリードアウトを記録するようにしても良い。
【００７２】
また、図３及び図４に例示したような未記録領域に対する記録方法のうち、例えば、当該記録層のデータ領域のうちユーザがデータ記録を行ったユーザデータ記録領域を除く領域を所定の未記録領域として、所定のデータ＝データ属性を有するダミーデータで記録する例で、ＣＰＵ１３により実行される記録処理の制御例を図６に示す概略フローチャートを参照して説明する。なお、このフローチャートによる説明上、アドレスとしては、前述の場合と同様に、図３及び図４に示した値を用いるものとする。
【００７３】
まず、ステップＳ１〜Ｓ５の処理は図５の場合と同様に行われる。そして、ＤＶＤ＋ＲがＯＴＰ方式のディスクの場合であれば（Ｓ５のＹ）、ユーザデータ記録完了アドレスＸがレイヤー０内のアドレスであるか否かを判定する（Ｓ６）。アドレスＸがレイヤー０内のアドレスであれば（Ｓ６のＹ）、ダミーデータ記録開始アドレスＹ＝Ｘ′となる（Ｓ２１）。一方、アドレスＸがレイヤー１内のアドレスである場合（Ｓ６のＮ）、ダミーデータ記録開始アドレスＹ＝Ｘとなる（Ｓ２２）。次に、ダミーデータ記録終了アドレスＺ＝Ｂ′を取得する（Ｓ２３）。これらのステップＳ６，Ｓ２１〜Ｓ２３の処理が、レイヤー１における未記録領域の範囲を認定する未記録領域認定手段又は未記録領域認定機能として実行される。その後、これらのアドレスＹ〜Ｚ間を未記録領域として、ダミーデータを記録し（Ｓ２４）、引き続き、リードアウト領域にリードアウトを記録し（Ｓ２５）、処理を終了する（Ｓ２６）。ステップＳ２４の処理が記録処理手段又は記録処理機能として実行される。
【００７４】
一方、挿入されている２層ＤＶＤ＋ＲがＰＴＰ方式のディスクであった場合には（Ｓ５のＮ）、ユーザデータ記録完了アドレスＸがレイヤー０内のアドレスであるか否かを判定する（Ｓ２７）。アドレスＸがレイヤー０内のアドレスである場合（Ｓ２７のＹ）、ダミーデータ記録開始アドレスＹ＝Ｂとなる（Ｓ２８）。アドレスＸがレイヤー１内のアドレスである場合（Ｓ２７のＮ）、ダミーデータ記録開始アドレスＹ＝Ｘとなる（Ｓ２９）。次に、ダミーデータ記録終了アドレスＺ＝Ｃを取得する（Ｓ３０）。これらのステップＳ２７〜Ｓ３０の処理が、レイヤー１における未記録領域の範囲を認定する未記録領域認定手段又は未記録領域認定機能として実行される。その後、これらのアドレスＹ〜Ｚ間を未記録領域として、ダミーデータを記録し（Ｓ２４）、引き続き、リードアウト領域にリードアウトを記録し（Ｓ２５）、処理を終了する（Ｓ２６）。ステップＳ２４の処理が記録処理手段又は記録処理機能として実行される。また、これらのステップＳ３〜Ｓ２５の処理が未記録領域データ埋込手段又は未記録領域データ埋込処理として実行される。
【００７５】
なお、このフローチャートによる処理制御例の場合も、リードイン領域、レイヤー０内のリードアウト領域或いは中間領域の記録については特に記述していないが、ユーザデータの記録が完了して光ディスク２が排出されるまでの間に所定の領域に記録されていれば良い。
【００７６】
なお、上述の説明では、第２の記録層が１層の場合について説明したが、第２の記録層が複数の記録層の場合であっても同様に適用することができる。
【００７７】
また、本実施の形態では、情報記録媒体が２層ＤＶＤ＋Ｒである場合への適用例として説明したが、本発明は、２層ＤＶＤ＋Ｒに限らず、ユーザデータを記録するデータ領域を各々有する複数の記録層を持ち、各記録層におけるデータ領域の位置に関してその範囲を決定する基準となる第１の記録層と、この第１の記録層を除く第２の記録層とを持つ情報記録媒体の場合であれば、同様に適用することができる。
【００７８】
【発明の効果】
本発明によれば、ユーザデータの記録要求に伴うデータ記録完了後、第２の記録層における所定の未記録領域に対して所定のデータを記録するようにしたので、データ領域の途中でユーザデータの記録が完了した場合も、所定の未記録領域がデータで埋められるため、複数の記録層を有する再生専用の情報記録媒体との互換性を保つことができ、所定の未記録領域を埋める所定のデータとして、本来的にデータ領域の後に記録されるリードアウト（Lead-out）を拡大利用することにより、簡単に実現することができ、その記録層の終了アドレスを規定するために本来の目的で使用されるリードアウト（Lead-out）領域に達するまでの全ての所定の未記録領域をこのリードアウト（Lead-out）で埋めることにより、簡単に実現することができ、未記録領域の存在が複数の記録層を有する再生専用情報記録媒体との互換性の点で問題となるＤＶＤ＋Ｒ規格に準拠した情報記録媒体を対象とする場合に好適に適用することができる。
【図面の簡単な説明】
【図１】本発明の一実施の形態の光ディスク装置の概略構成を示すブロック図である。
【図２】再生専用ＤＶＤディスクのレイアウト例を示す説明図である。
【図３】ＰＴＰ方式による２層ＤＶＤ＋Ｒに対する本実施の形態の情報記録方法を模式的に示す説明図である。
【図４】ＯＴＰ方式による２層ＤＶＤ＋Ｒに対する本実施の形態の情報記録方法を模式的に示す説明図である。
【図５】所定のデータをリードアウトとする場合の記録処理の制御例を示す概略フローチャートである。
【図６】所定のデータをダミーデータとする場合の記録処理の制御例を示す概略フローチャートである。
【符号の説明】
２      情報記録媒体
【図１】
0003710790.tif 000002
【図２】
0003710790.tif 000003
【図３】
0003710790.tif 000004
【図４】
0003710790.tif 000005
【図５】
0003710790.tif 000006
【図６】
0003710790.tif 000007